(57)【特許請求の範囲】
【請求項１】
画像読取り装置の装置本体に取り付けられる取付部材と、該取付部材にヒンジ軸を介して回動自在に枢着されると共に原稿圧着板を支持する支持アーム部材と、該支持アーム部材内に摺動自在に設けられる一対の第１スライダーおよび第２スライダーと、これら第１および第２スライダー間に挟設される圧縮コイルスプリングと、から成り、上記第１スライダーおよび第２スライダーのいずれか一方のスライダーの内側に固設される固定ネジと、該固定ネジに回転自在に螺合する弾力調整円盤と、該弾力調整円盤の外周部に設けられる回転操作手段と、から構成される原稿圧着板の開閉装置において、
前記スライダーのバネカバーに操作用開口を開設し、
しかも該操作用開口は、上記弾力調整円盤の外周部に対面する部分に開設されている、
ことを特徴とする原稿圧着板の開閉装置。
【請求項２】
前記弾力調整円盤と圧縮コイルスプリングの間に、低摩擦円盤を挟設することを特徴とする請求項１に記載の原稿圧着板の開閉装置。
【請求項３】
前記支持アーム部材２の先端部に、リフト軸を介してリフトアーム部材を回動自在に設け、該リフトアーム部材に上記原稿圧着板を装着することを特徴とする請求項１または２に記載の原稿圧着板の開閉装置。
【発明の詳細な説明】
【技術分野】
【０００１】
本発明は、複写機、ファクシミリ、スキャナー、或いは、これら複合機器等の画像読取り装置における原稿圧着板の開閉装置に関する。
【背景技術】
【０００２】
従来、この種の原稿圧着板の開閉装置としては、上記画像読取り装置の装置本体に取り付けられる取付部材と、該取付部材に回動自在に枢着されると共に原稿圧着板を支持する支持アーム部材と、該支持アーム部材内に摺動自在に納められる第１スライダーおよび第２スライダーと、これらのスライダー間に挟装されると共に上記原稿圧着板を開く方向に上記支持アーム部材を付勢する圧縮コイルバネと、該圧縮コイルバネの付勢力（弾力）を調節する手段と、から成る原稿圧着板の開閉装置があった。
【０００３】
そして、上記圧縮コイルバネの弾力を調節する手段は、一方のスライダー内に回転可能に設けられ、圧縮コイルバネ内に延びるアジャスト部を有する操作プレートと、該アジャスト部に軸方向に設けられ、軸回りに回転しないと共に上記圧縮コイルバネの端部が当接するアジャストプレートと、上記操作プレートに設けられ、上記スライダーに設けられた貫通孔から外部に露出される操作部とを有し、該操作部を介して上記操作プレートを回転させてアジャスト部に対するアジャストプレートの位置を調節して圧縮コイルバネの弾力を調節するように構成されていた。（特許文献１参照）
【先行技術文献】
【特許文献】
【０００４】
【特許文献１】特開２００９−５８７９０
【発明の概要】
【発明が解決しようとする課題】
【０００５】
しかしながら、上記従来の原稿圧着板の開閉装置における圧縮コイルバネの弾力を調節する手段は、上記操作プレートに設けられた操作部が、上記スライダーに設けられた貫通孔から外部に露出して、該貫通孔の外部から調節操作するように構成されているので、開閉装置を、画像読取り装置の装置本体から取り外さないと、調節操作をすることができない等の問題点があった。
【０００６】
本発明は、上記従来の問題点を解決して、開閉装置を、画像読取り装置の装置本体から取り外すことなく、容易に且つ迅速に調節操作することができる原稿圧着板の開閉装置を提供することを課題とする。
【課題を解決するための手段】
【０００７】
本発明の原稿圧着板の開閉装置は、画像読取り装置の装置本体に取り付けられる取付部材と、該取付部材にヒンジ軸を介して回動自在に枢着されると共に原稿圧着板を支持する支持アーム部材と、該支持アーム部材内に摺動自在に設けられる一対の第１スライダーおよび第２スライダーと、これら第１および第２スライダー間に挟設される圧縮コイルスプリングと、から成り、上記第１スライダーおよび第２スライダーのいずれか一方のスライダーの内側に固設される固定ネジと、該固定ネジに回転自在に螺合する弾力調整円盤と、該弾力調整円盤の外周部に設けられる回転操作手段と、から構成される原稿圧着板の開閉装置において、前記スライダーのバネカバーに操作用開口を開設し、しかも該操作用開口は、上記弾力調整円盤の外周部に対面する部分に開設されている、ことを特徴とする。
【発明の効果】
【０００８】
本発明の原稿圧着板の開閉装置は、弾力調整円盤の外周部がバネカバーから漏出することがないので、該弾力調整円盤は勝手に回転することがないようにバネカバーにより安全に保護されており、また、操作用開口が、弾力調整円盤の外周部に対面する部分に開設されているため、弾力調整円盤を外周側から極めて簡単に回転操作することができる。
【図面の簡単な説明】
【０００９】
【図１】本発明の原稿圧着板の開閉装置の一実施例を示す斜視図である。
【図２Ａ】図１の開閉装置の縦断斜視図である。
【図２Ｂ】図１の開閉装置の縦断側面図である。
【図３Ａ】図１の開閉装置の開状態の縦断斜視図である。
【図３Ｂ】図１の開閉装置の開状態の縦断側面図である。
【図４】図３Ａの部分拡大説明図である。ただし、圧縮コイルスプリングは除去されている。
【図５】弾力調整円盤の操作説明図である。ただし、圧縮コイルスプリングおよび低摩擦円盤は除去されている。
【発明を実施するための形態】
【００１０】
以下、本発明の原稿圧着板の開閉装置の実施例について、図面を参照しながら説明する。
図１は本発明の原稿圧着板の開閉装置の一実施例を示す斜視図、および図２Ａはその縦断斜視図および図２Ｂは縦断側面図であって、１は複写機などの画像読取り装置の機器本体（図示せず）に取り付け固定される取付部材、２は該取付部材１にヒンジ軸３を介して回動自在に枢着される支持アーム部材、および４は該支持アーム部材２にリフト軸５を介して回動自在に支持されるリフトアーム部材である。
【００１１】
上記リフト軸５は、上記支持アーム部材２の先端部（上記ヒンジ軸３から離れた位置）に設けられ、上記リフトアーム部材４を上記支持アーム部材２とは逆方向に、しかもこれと重なる（支持アーム部材２がリフトアーム部材４内に納まる）ように回動するよう構成されている。該リフトアーム部材４には、原稿圧着板（図示せず）が装着される。該原稿圧着板には、必要に応じて、ＡＤＦ（原稿自動送り装置）が設けられる。
【００１２】
図３Ａ、３Ｂから明らかなように、上記支持アーム部材２は、上記リフトアーム部材４と共に、上記取付部材１に対して上記ヒンジ軸３を中心に回動して、上記原稿圧着板（図示せず）を開状態にすることができる。
【００１３】
図２Ａ、２Ｂおよび図３Ａ、３Ｂから明らかなように、上記支持アーム部材２内には、一対の第１スライダー６および第２スライダー７が摺動自在に設けられている。これらの第１および第２スライダー６，７間には、圧縮コイルスプリング８（本実施例では４つのコイルスプリングが同心円状に重なっている。）が挟まれて圧縮状態で収容されていて、上記第１スライダー６を作動ピン９に弾性的に押圧するようになっている。該作動ピン９は、上記リフトアーム部材４とともに上記リフト軸５を中心に回動するように、該リフトアーム部材４に取り付けられている。また、上記圧縮コイルスプリング８は、上記第２スライダー７にも弾性的に押接されている。
【００１４】
上記第２スライダー７の外方（図２Ｂにおいて左方）には、受圧ピン１０が配置されている。該受圧ピン１０は、上記ヒンジ軸２と平行に上記取付部材１に取り付けられている。該受圧ピン１０には、上記第２スライダー７の外側に一体的に形成されているカム部７ａが、上記圧縮コイルスプリング８の弾発力により弾性的に押接している。
【００１５】
図４からも明らかなように、上記第２スライダー７の内側（圧縮コイルスプリング８側）には、固定基板１１ａを介して、固定ネジ１１が埴設されている。詳細には、上記第２スライダー７の内側に固定基板１１ａを一体的に取り付け、該固定基板１１ａに明けた孔に、固定ネジ１１の基部を圧入して、カシメ状態で固設する。なお、固定ネジ１１の固定方法は、溶接やネジ止め等であってもよく、上記圧入に限定するものではない。
【００１６】
上記固定ネジ１１には雄ネジが形成されていて、上記弾力調整円盤１２の孔に形成された雌ネジと回転自在に螺合している。従って、弾力調整円盤１２を回転させると、該弾力調整円盤１２が上記固定ネジ１１の軸方向（図４で上下方向）に移動する。上記弾力調整円盤１２の外周部には回転操作手段である操作用突起１２ａが形成されていて、該弾力調整円盤１２を容易かつ確実に回転操作することができるようにしている。該回転操作手段は、上記操作用突起１２ａに限定するものではなく、多数の放射状の穴など、要するに、上記弾力調整円盤１２を外周側から回転操作し得る構造のものであれば、いずれの構成でもよい。なお、上記固定ネジ１１の長さ（先端部の高さ）を可変に構成することで、該固定ネジ１１の先端部にダンパー１４の端部が当接してこれが効くタイミングを変えることができ、その結果、原稿圧着板の開閉角度を変えることができる。
【００１７】
７ｂは操作用開口であって、上記第２スライダー７のバネカバー７ｃの上記弾力調整円盤１２の外周部に対面する部分に開設されており、上記操作用突起１２ａを外部から操作できるようになっている。該操作用開口７ｂは、不使用時に粘着テープ等のシール材により閉塞することが、安全上あるいは故障原因を無くす上などで、望ましい。
【００１８】
１３は低摩擦（摩擦抵抗の低い）材料から成る低摩擦円盤であって、上記弾力調整円盤１２と上記圧縮コイルスプリング８の間に挟設されている。従って、上述のように弾力調整円盤１２を回転させても、上記低摩擦円盤１３の滑り作用により、その回転トルクは上記圧縮コイルスプリング８に伝わり難くなる。上記低摩擦円盤１３に代えて、或いは該低摩擦円盤１３と共に、上記弾力調整円盤１２のスプリング側表面を鏡面処理や低摩擦剤によるコーティング処理して、上記圧縮コイルスプリング８へのトルク伝達を少なくするようにしてもよい。なお、上記弾力調整円盤１２は、一対の第１スライダー６および第２スライダー７のいずれか一方あるいは両方に配置することができる。
【００１９】
なお、１４は、オイルダンパーであって、原稿圧着板の開閉の急な動きを緩衝する。上記実施例では、圧縮コイルスプリング８を１箇所に配置したが、２箇所に併設してもよい。また、百科事典のように厚い原稿を対象にしない場合には、上記リフトアーム部材４、リフト軸５、作動ピン９等を省略して、原稿圧着板を支持アーム部材２に取り付けるようにしてもよい。この場合、第１スライダー６は、支持アーム部材２に端板等を設けて、これに当接せしめる。
【００２０】
上記実施例では、上記固定ネジ１１や上記弾力調整円盤１２などを、上記第２スライダー７側に設ける構成で説明したが、上記第１スライダー６側に設けてもよい。
【符号の説明】
【００２１】
１    取付部材
２    支持アーム部材
３    ヒンジ軸
４    リフトアーム部材
５    リフト軸
６    第１スライダー
７    第２スライダー
７ａ  カム部
７ｂ  操作用開口
８    圧縮コイルスプリング
９    作動ピン
１０  受圧ピン
１１  固定ネジ
１１ａ  固定基板 
１２  弾力調整円盤
１２ａ  操作用突起
１３  低摩擦円盤
１４  オイルダンパー
【図１】
0005874066.tif 000002
【図２Ａ】
0005874066.tif 000003
【図２Ｂ】
0005874066.tif 000004
【図３Ａ】
0005874066.tif 000005
【図３Ｂ】
0005874066.tif 000006
【図４】
0005874066.tif 000007
【図５】
0005874066.tif 000008